(57)【要約】【課題】ラベル印刷時における作業効率性および印刷装置の利便性の向上を図ること。【解決手段】印刷装置１００は、記憶部３１０と、制御部３０１と、取得部３０２と、記録部３０３と、印刷部３０４とを備える。記憶部３１０は映像を記憶する。制御部３０１は、映像の再生を制御する。取得部３０２は、着脱可能な記録媒体に記録された映像であって、制御部３０１の制御によって再生された映像の中から所望の画像を取得する。記録部３０３は、記録媒体に記録されている映像を記憶部３１０に記録する。印刷部３０４は、取得部３０２によって取得された画像を記録媒体の表面上に印刷する。【選択図】図３
2007259191.tif 000002
【特許請求の範囲】
【請求項１】
着脱可能な記録媒体に記録されている映像の再生を制御する制御手段と、
前記記録媒体から所望の画像を取得する取得手段と、
前記記録媒体に記録されている映像を記憶手段に記録する記録手段と、
前記取得手段によって取得された画像を前記記録媒体の表面上に印刷する印刷手段と、
を備え、
前記制御手段は、前記印刷手段による前記画像の印刷がおこなわれる前に、前記記録媒
体に記録された映像の読み出しを停止するとともに、前記記憶手段に記録された映像の再
生を開始することを特徴とする印刷装置。
【請求項２】
前記制御手段は、前記印刷手段による前記画像の印刷がおこなわれる前に、前記記録媒
体に記録された映像の読み出しを停止するとともに、前記読み出しの停止された箇所に続
く、前記記憶手段に記録された映像を再生することで、映像をほぼ連続して再生させるこ
とを特徴とする請求項１に記載の印刷装置。
【請求項３】
前記制御手段は、前記印刷手段による前記画像の印刷がおこなわれた後に、前記記録媒
体に記録された映像を読み出して再生し始めるすることを特徴とする請求項１または２に
記載の印刷装置。
【請求項４】
前記制御手段は、前記印刷手段による前記画像の印刷がおこなわれた後に、前記記憶手
段に記録された映像の再生を停止するとともに、前記記憶手段に記録された映像の停止さ
れた箇所に続く、前記記録媒体に記録された映像を読み出して再生することで、映像をほ
ぼ連続して再生させることを特徴とする請求項３に記載の印刷装置。
【請求項５】
前記制御手段は、前記記憶手段に記録された映像の再生を停止した後に、前記記憶手段
に記録された映像を破棄することを特徴とする請求項１に記載の映像再生装置。
【請求項６】
前記記録媒体は、ＣＤ（Ｃｏｍｐａｃｔ  Ｄｉｓｃ）またはＤＶＤ（Ｄｉｇｉｔａｌ  
Ｖｅｒｓａｔｉｌｅ  Ｄｉｓｃ）であることを特徴とする請求項１〜５のいずれか一つに
記載の印刷装置。
【請求項７】
着脱可能な記録媒体に記録されている映像の再生を制御する制御手段と、
着脱可能な記録媒体から所望の画像を取得する取得手段と、
前記記録媒体に記録されている映像を記憶手段に記録する記録手段と、
前記取得手段によって取得された画像を前記記録媒体の表面上に印刷させるべく出力す
る出力手段と、
を備え、
前記制御手段は、前記記録媒体の取り外しがおこなわれる前に、前記記録媒体に記録さ
れた映像の読み出しを停止するとともに、前記記憶手段に記録された映像の再生を開始す
ることを特徴とする映像再生装置。
【請求項８】
前記制御手段は、前記記録媒体が取り付けられた後に、前記記憶手段に記録された映像
の再生を停止するとともに、前記記録媒体に記録された映像を読み出して再生を始めるこ
とを特徴とする請求項７に記載の映像再生装置。
【請求項９】
前記制御手段は、前記記憶手段に記録された映像の再生を停止した後に、前記記憶手段
に記録された映像を破棄することを特徴とする請求項７に記載の映像再生装置。
【請求項１０】
前記印刷装置に対してＵＳＢダイレクトまたはピクトブリッジに基づいて接続し、
前記出力手段は、前記取得手段によって取得された画像を印刷装置によらない形式で出
力することを特徴とする請求項７に記載の映像再生装置。
【請求項１１】
着脱可能な記録媒体に記録されている映像の再生を制御する制御工程と、
着脱可能な記録媒体から所望の画像を取得する取得工程と、
前記記録媒体に記録されている映像を記憶手段に記録する記録工程と、
前記取得工程によって取得された画像を前記記録媒体の表面上に印刷させるべく出力す
る出力工程と、
を含み、
前記制御工程においては、前記出力工程よって出力された画像が印刷される前に、前記
記録媒体に記録された映像の読み出しを停止するとともに、前記記憶手段に記録された映
像を再生することを特徴とする映像制御方法。
【請求項１２】
請求項１１に記載の映像制御方法をコンピュータに実行させることを特徴とする映像制
御プログラム。
【請求項１３】
請求項１２に記載の映像制御プログラムを記憶したことを特徴とするコンピュータに読
み取り可能な記録媒体。
【発明の詳細な説明】
【技術分野】
【０００１】
本発明は、再生中の映像から取り込んだ画像を、当該映像が記録されているディスクの
表面上に印刷する印刷装置、映像再生装置、映像制御方法、映像制御プログラム、および
記録媒体に関する。
【背景技術】
【０００２】
従来より、たとえば、パーソナル・コンピュータなどによって、ＣＤ（Ｃｏｍｐａｃｔ
Ｄｉｓｃ）およびＤＶＤ（Ｄｉｇｉｔａｌ  Ｖｅｒｓａｔｉｌｅ  Ｄｉｓｃ）などの記
録媒体（以下、「ディスク」と示す）に対して、デジタルビデオカメラなどで撮影した映
像を記録することができる技術が知られている。このようなディスクにおいては、ディス
ク内にどのような映像が記録されているかを把握することが困難であった。このため、複
数のディスクを所有している場合、どのディスクに所望する映像が記録されているかを把
握するためには、手間や時間がかかるパーソナル・コンピュータなどの複雑な操作をおこ
なって、複数のディスクの中から所望する映像を探し出さなければならないという問題が
生じていた。
【０００３】
そこで、たとえば、パーソナル・コンピュータなどの画像編集装置によって生成したラ
ベルを、ディスクの表面上に印刷することができるように構成された印刷装置が知られて
いる（たとえば、下記特許文献１参照。）。このような印刷装置を用いて、ディスクに記
録されている映像の内容が示されたラベルをディスクの表面上に印刷することによって、
ユーザは、ディスクに表面上に印刷されたラベルを目視することなどにより、複数所有す
るディスクのそれぞれにどのような映像が記録されているかを把握することができる。
【０００４】
【特許文献１】特開２００５−７１５６６号公報
【発明の開示】
【発明が解決しようとする課題】
【０００５】
しかしながら、上記の従来技術にあっては、パーソナル・コンピュータなどの画像編集
装置によって、ディスクに記録されている映像の内容が示されたラベルを生成するための
手間や時間がかかり、ラベル印刷時における作業効率性が低下するという問題が生じてい
た。また、パーソナル・コンピュータなどの画像編集装置を所有しないユーザは、上記ラ
ベルを生成することができないという問題が生じていた。
【０００６】
また、ディスクの表面上にラベルを印刷しているときにおいてユーザは、ディスクに記
録されている映像を視聴することができない。このため、ユーザは、映像を視聴している
ときにディスクの表面上に印刷をおこないたい場合、映像の視聴を中断する必要があり、
ラベル印刷時における印刷装置の利便性が低下するという問題が生じていた。
【０００７】
本発明は、上述した従来技術による問題点を解消するため、簡単な操作により、映像の
視聴を中断することなくディスクに記録されている映像の中から選択した画像をディスク
の表面上に印刷することによって、ラベル印刷時における作業効率性および印刷装置の利
便性の向上を図ることができる印刷装置、映像再生装置、映像制御方法、映像制御プログ
ラム、および記録媒体を提供することを目的とする。
【課題を解決するための手段】
【０００８】
上述した課題を解決し、目的を達成するため、この発明にかかる印刷装置は、着脱可能
な記録媒体に記録されている映像の再生を制御する制御手段と、前記記録媒体から所望の
画像を取得する取得手段と、前記記録媒体に記録されている映像を記憶手段に記録する記
録手段と、前記取得手段によって取得された画像を前記記録媒体の表面上に印刷する印刷
手段と、を備え、前記制御手段は、前記印刷手段による前記画像の印刷がおこなわれる前
に、前記記録媒体に記録された映像の読み出しを停止するとともに、前記記憶手段に記録
された映像の再生を開始することを特徴とする。
【０００９】
この発明によれば、再生されている映像の中から取得した所望の画像を記録媒体の表面
上に印刷することができる。また、記録媒体の表面上への画像の印刷をおこなっていると
きであっても、記憶手段に記録された映像を再生することができるため、ユーザは、映像
を視聴しているときであっても、容易に、記録媒体に記録されている映像の中から取得し
た所望の画像を記録媒体の表面上に印刷することができる。これにより、ラベル印刷時に
おける作業効率性の向上を図ることができるだけでなく、記録媒体の表面上に印刷された
画像により、ユーザに対し、どの記録媒体にどのような映像が記録されているかを容易に
把握させることが可能となる。
【００１０】
また、この発明にかかる印刷装置は、上記に記載の発明において、前記制御手段は、前
記印刷手段による前記画像の印刷がおこなわれる前に、前記記録媒体に記録された映像の
読み出しを停止するとともに、前記読み出しの停止された箇所に続く、前記記憶手段に記
録された映像を再生することで、映像をほぼ連続して再生させることを特徴とする。
【００１１】
この発明によれば、記録媒体の表面上への画像の印刷をおこなっているときであっても
、印刷をおこなう以前に再生されていた映像に続く、記録媒体に記録された映像を再生す
ることができるため、ユーザは、映像を視聴しているときであっても、映像の視聴を中断
することなく、容易に、記録媒体に記録されている映像の中から取得した所望の画像を記
録媒体の表面上に印刷することができる。
【００１２】
また、この発明にかかる印刷装置は、上記に記載の発明において、前記制御手段は、前
記印刷手段による前記画像の印刷がおこなわれた後に、前記記録媒体に記録された映像を
読み出して再生し始めるすることを特徴とする。
【００１３】
この発明によれば、記録媒体の表面上への画像の印刷がおこなわれた後であっても、記
録媒体に記録された映像を再生することができるため、ユーザは、映像を視聴していると
きであっても、容易に、記録媒体に記録されている映像の中から取得した所望の画像を記
録媒体の表面上に印刷することができる。
【００１４】
また、この発明にかかる印刷装置は、上記に記載の発明において、前記制御手段は、前
記印刷手段による前記画像の印刷がおこなわれた後に、前記記憶手段に記録された映像の
再生を停止するとともに、前記記憶手段に記録された映像の停止された箇所に続く、前記
記録媒体に記録された映像を読み出して再生することで、映像をほぼ連続して再生させる
ことを特徴とする。
【００１５】
この発明によれば、記録媒体の表面上への画像の印刷がおこなわれた後であっても、印
刷がおこなわれているときに再生されていた映像に続く記録媒体に記録された映像を再生
することができるため、ユーザは、映像を視聴しているときであっても、容易に、記録媒
体に記録されている映像の中から取得した所望の画像を記録媒体の表面上に印刷すること
ができる。
【００１６】
また、この発明にかかる映像再生装置は、前記制御手段は、前記記憶手段に記録された
映像の再生を停止した後に、前記記憶手段に記録された映像を破棄することを特徴とする
。
【００１７】
この発明によれば、記録媒体の表面上への画像の印刷がおこなわれ、記憶手段に記録さ
れた映像が停止された後に、記憶手段に記録された映像を破棄することができるため、ユ
ーザは、映像を視聴しているときであっても、容易に、記録媒体に記録されている映像の
中から取得した所望の画像を記録媒体の表面上に印刷したうえで、記憶手段に記録された
映像を破棄することができる。
【００１８】
また、この発明にかかる印刷装置は、前記記録媒体は、ＣＤ（Ｃｏｍｐａｃｔ  Ｄｉｓ
ｃ）またはＤＶＤ（Ｄｉｇｉｔａｌ  Ｖｅｒｓａｔｉｌｅ  Ｄｉｓｃ）であることを特徴
とする。
【００１９】
この発明によれば、再生されている映像の中から取得した所望の画像をＣＤまたはＤＶ
Ｄの表面上に印刷することができる。また、ＣＤまたはＤＶＤの表面上への画像の印刷を
おこなっているときであっても、記憶手段に記録された映像を再生することができるため
、ユーザは、映像を視聴しているときであっても、容易に、ＣＤまたはＤＶＤに記録され
ている映像の中から取得した所望の画像をＣＤまたはＤＶＤの表面上に印刷することがで
きる。これにより、ラベル印刷時における作業効率性の向上を図ることができるだけでな
く、ＣＤまたはＤＶＤの表面上に印刷された画像により、ユーザに対し、どの記録媒体に
どのような映像が記録されているかを容易に把握させることが可能となる。
【００２０】
また、この発明にかかる映像再生装置は、着脱可能な記録媒体に記録されている映像の
再生を制御する制御手段と、着脱可能な記録媒体から所望の画像を取得する取得手段と、
前記記録媒体に記録されている映像を記憶手段に記録する記録手段と、前記取得手段によ
って取得された画像を前記記録媒体の表面上に印刷させるべく出力する出力手段と、を備
え、前記制御手段は、前記記録媒体の取り外しがおこなわれる前に、前記記録媒体に記録
された映像の読み出しを停止するとともに、前記記憶手段に記録された映像の再生を開始
することを特徴とする。
【００２１】
この発明によれば、再生されている映像の中から取得した所望の画像を所定の印刷装置
に対して出力することができる。また、所定の印刷装置によって記録媒体の表面上への画
像の印刷がおこなわれているときであっても、記憶手段に記録された映像を再生すること
ができるため、ユーザは、映像を視聴しているときであっても、容易に、記録媒体に記録
されている映像の中から取得した所望の画像を所定の印刷装置によって前記記録媒体の表
面上に印刷することができる。これにより、ラベル印刷時における作業効率性の向上を図
ることができるだけでなく、記録媒体の表面上に印刷された画像により、ユーザに対し、
どの記録媒体にどのような映像が記録されているかを容易に把握させることが可能となる
。
【００２２】
また、この発明にかかる映像再生装置は、上記に記載の発明において、前記制御手段は
、前記記録媒体が取り付けられた後に、前記記憶手段に記録された映像の再生を停止する
とともに、前記記録媒体に記録された映像を読み出して再生を始めることを特徴とする。
【００２３】
この発明によれば、記録媒体の表面上への画像の印刷がおこなわれた後であっても、記
録媒体に記録された映像を再生することができるため、ユーザは、映像を視聴していると
きであっても、容易に、記録媒体に記録されている映像の中から取得した所望の画像を記
録媒体の表面上に印刷することができる。
【００２４】
また、この発明にかかる映像再生装置は、上記に記載の発明において、前記制御手段は
、前記記憶手段に記録された映像の再生を停止した後に、前記記憶手段に記録された映像
を破棄することを特徴とする。
【００２５】
この発明によれば、記録媒体の表面上への画像の印刷がおこなわれ、記憶手段に記録さ
れた映像が停止された後に、記憶手段に記録された映像が破棄されるため、ユーザは、映
像を視聴しているときであっても、容易に、記録媒体に記録されている映像の中から取得
した所望の画像を記録媒体の表面上に印刷したうえで、記憶手段に記録されている不要と
なった映像を破棄しようとする必要がない。
【００２６】
また、この発明にかかる映像再生装置は、上記に記載の発明において、前記印刷装置に
対してＵＳＢダイレクトまたはピクトブリッジに基づいて接続し、前記出力手段は、前記
取得手段によって取得された画像を印刷装置によらない形式で出力することを特徴とする
。
【００２７】
この発明によれば、再生されている映像の中から取得した所望の画像を、ＵＳＢダイレ
クトまたはピクトブリッジに基づいて接続された所定の印刷装置に対して印刷装置によら
ない形式で出力することができる。また、ＵＳＢダイレクトまたはピクトブリッジに基づ
いて接続された所定の印刷装置によって記録媒体の表面上への画像の印刷がおこなわれて
いるときであっても、記憶手段に記録された映像を再生することができるため、ユーザは
、映像を視聴しているときであっても、容易に、記録媒体に記録されている映像の中から
取得した所望の画像をＵＳＢダイレクトまたはピクトブリッジに基づいて接続された所定
の印刷装置によって前記記録媒体の表面上に印刷することができる。
【００２８】
また、この発明にかかる映像制御方法は、着脱可能な記録媒体に記録されている映像の
再生を制御する制御工程と、着脱可能な記録媒体から所望の画像を取得する取得工程と、
前記記録媒体に記録されている映像を記憶手段に記録する記録工程と、前記取得工程によ
って取得された画像を前記記録媒体の表面上に印刷させるべく出力する出力工程と、を含
み、前記制御工程においては、前記出力工程よって出力された画像が印刷される前に、前
記記録媒体に記録された映像の読み出しを停止するとともに、前記記憶手段に記録された
映像を再生することを特徴とする。
【００２９】
この発明によれば、再生されている映像の中から取得した所望の画像を記録媒体の表面
上に印刷することができる。また、記録媒体の表面上への画像の印刷をおこなっていると
きであっても、記憶手段に記録された映像を再生することができるため、ユーザは、映像
を視聴しているときであっても、容易に、記録媒体に記録されている映像の中から取得し
た所望の画像を記録媒体の表面上に印刷することができる。これにより、ラベル印刷時に
おける作業効率性の向上を図ることができるだけでなく、記録媒体の表面上に印刷された
画像により、ユーザに対し、どの記録媒体にどのような映像が記録されているかを容易に
把握させることが可能となる。
【００３０】
また、この発明にかかる映像制御プログラムは、上記に記載の映像制御方法をコンピュ
ータに実行させることを特徴とする。
【００３１】
この発明によれば、映像制御プログラムを実行することにより、上述した映像制御方法
によって得られる動作がコンピュータによって実現される。これにより、上述した映像制
御方法の実現によって得られる各種効果を奏することができる。
【００３２】
また、この発明にかかる記録媒体は、上記に記載の映像制御プログラムをコンピュータ
に読み取り可能に記憶したことを特徴とする。
【００３３】
この発明によれば、記憶された映像制御プログラムをコンピュータに読み取らせ、実行
させることによって、上述した映像制御プログラムの実行によって得られる動作がコンピ
ュータによって実現される。これにより、上述した映像制御プログラムの実行によって得
られる各種効果を奏することができる。
【発明を実施するための最良の形態】
【００３４】
以下に添付図面を参照して、この発明にかかる印刷装置、映像再生装置、映像制御方法
、映像制御プログラム、および記録媒体の好適な実施の形態を詳細に説明する。
【００３５】
（実施の形態１）
（印刷装置の構成の概要）
図１は、本実施の形態１における印刷装置の構成の概要を示す説明図である。図１にお
いて、印刷装置１００は、ＣＤ／ＤＶＤディスク１１０に記録されている映像を再生する
機能と、ＣＤ／ＤＶＤディスク１１０の表面上にラベルを印刷する機能とを備えた装置で
あり、ディスクドライブ１２０と、ラベルプリンタ１３０と、操作ボタン１４０と、ディ
スプレイ１５０とを備えて構成されている。
【００３６】
ディスクドライブ１２０は、ＣＤ−Ｒ、ＣＤ−ＲＷ、ＤＶＤ−Ｒ、ＤＶＤ−ＲＷなどの
ＣＤ／ＤＶＤディスク１１０を挿入することによってＣＤ／ＤＶＤディスク１１０に記録
されている映像を再生する。ラベルプリンタ１３０は、ＣＤ／ＤＶＤディスク１１０の表
面上に所望の画像、文字、図形などによって構成されるラベルを印刷する。
【００３７】
操作ボタン１４０は、ユーザによって操作され、操作ボタン１４０の操作によって、Ｃ
Ｄ／ＤＶＤディスク１１０に記録されている映像の再生停止・再生開始や、ＣＤ／ＤＶＤ
ディスク１１０の表面上へのラベルの印刷などがおこなわれる。ディスプレイ１５０は、
ディスクドライブ１２０によって再生されたＣＤ／ＤＶＤディスク１１０に記録されてい
る映像などを表示する。
【００３８】
上述した構成による印刷装置１００は、ＣＤ／ＤＶＤディスク１１０に記録されている
映像が再生されているときに、たとえば操作ボタン１４０に備えられた印刷ボタン１４０
Ａが押下されることによって、印刷ボタン１４０Ａが押下されたときにディスプレイ１５
０の画面上に表示されていた画像をメモリなどの記録媒体にキャプチャ（取り込み）する
ことができる。
【００３９】
このとき、映像の再生が継続されたまま、ＣＤ／ＤＶＤディスク１１０に記録されてい
る映像のうち、所定時間後（たとえば５分後）以降の映像がメモリなどの記録媒体に記録
される。そして、上記所定時間が経過した後に、ＣＤ／ＤＶＤディスク１１０に記録され
ている映像の再生が停止されるとともに、メモリなどの記録媒体に記録された映像の再生
が開始される。これにより映像を途切させることなく、ほぼ連続して映像を再生させるこ
とができる。
【００４０】
そして、ＣＤ／ＤＶＤディスク１１０がディスクドライブ１２０から取り出され、ラベ
ルプリンタ１３０にセットされることによって、キャプチャされた画像をＣＤ／ＤＶＤデ
ィスク１１０の表面上に印刷することができる。また、印刷が停止した後に、ＣＤ／ＤＶ
Ｄディスク１１０を再びディスクドライブ１２０にセットすることによって、メモリなど
の記録媒体に記録された映像の再生が停止されるとともに、ＣＤ／ＤＶＤディスク１１０
に記録された映像のうち、停止された箇所に続く映像の再生が開始される。
【００４１】
このように、本実施の形態１における印刷装置１００によれば、たとえばユーザは、Ｃ
Ｄ／ＤＶＤディスク１１０に記録されている映像を視聴しているときに、印刷ボタン１４
０Ａを押下して、ＣＤ／ＤＶＤディスク１１０をラベルプリンタ１３０にセットするだけ
といった簡単な操作によって、映像の視聴を中断することなく、ＣＤ／ＤＶＤディスク１
１０に記録されている映像に含まれた画像の中から所望する画像をＣＤ／ＤＶＤディスク
１１０の表面上に印刷することができる。これにより、ラベル印刷時における作業効率性
の向上を図ることができるだけでなく、ＣＤ／ＤＶＤディスク１１０にどのような映像が
記録されているかを明示することができる。
【００４２】
なお、たとえば上述した印刷装置１００に限らずに、本発明の印刷装置１００はＣＤ／
ＤＶＤディスク１１０がディスクドライブ１２０に格納されたまま、画像をＣＤ／ＤＶＤ
ディスク１１０の表面上に印刷することができる印刷装置１００や、人手を介さずに印刷
装置１００の制御によって、ディスクドライブ１２０とラベルプリンタ１３０との間のＣ
Ｄ／ＤＶＤディスク１１０の搬送をおこなうことができる印刷装置１００などであっても
よい。
【００４３】
このような印刷装置１００の場合、たとえばユーザは、ＣＤ／ＤＶＤディスク１１０に
記録されている映像を視聴しているときに、印刷ボタン１４０Ａを押下するだけといった
簡単な操作によって、映像の視聴を中断することなく、ＣＤ／ＤＶＤディスク１１０に記
録されている映像に含まれた画像の中から所望する画像をＣＤ／ＤＶＤディスク１１０の
表面上に印刷することができる。これにより、ラベル印刷時における作業効率性の向上を
より図ることができるだけでなく、ＣＤ／ＤＶＤディスク１１０にどのような映像が記録
されているかを明示することができる。
【００４４】
（印刷装置１００のハードウェア構成）
図２は、本実施の形態１における印刷装置のハードウェア構成の一例を示すブロック図
である。図２において、本実施の形態１における印刷装置１００は、ＣＰＵ（Ｃｅｎｔｒ
ａｌ  Ｐｒｏｃｅｓｓｉｎｇ  Ｕｎｉｔ）２０１と、ＲＯＭ（Ｒｅａｄ  Ｏｎｌｙ  Ｍｅ
ｍｏｒｙ）２０２と、ＲＡＭ（Ｒａｎｄｏｍ  Ａｃｃｅｓｓ  Ｍｅｍｏｒｙ）２０３と、
ＨＤＤ（Ｈａｒｄ  Ｄｉｓｃ  Ｄｒｉｖｅ）２０４と、ＨＤ（Ｈａｒｄ  Ｄｉｓｃ）２０
５と、スキャナ２０６と、インタフェース（Ｉ／Ｆ）２０７と、通信ケーブル２０８と、
ＣＤ／ＤＶＤディスク１１０と、ディスクドライブ１２０と、ラベルプリンタ１３０と、
操作ボタン１４０と、ディスプレイ１５０とを備えて構成されており、各構成部はバス２
１０によってそれぞれ接続されている。
【００４５】
ＣＰＵ２０１は、所定の演算処理を実行し、この印刷装置１００の全体を制御する。Ｒ
ＯＭ２０２は、各種制御プログラムなどを格納する。ＲＯＭ２０２に格納されたデータは
、ユーザの操作によって書き換えることが可能ではあるが、電源ＯＦＦによって消去され
ないものである。ＲＡＭ２０３は、可変的なデータを書き換え自在に記憶し、ＣＰＵ２０
１のワークエリアとして機能する。ＲＡＭ２０３は、電源ＯＦＦによって記憶されたデー
タが消去される揮発性のメモリであってもよいし、バッテリなどによってバックアップさ
れることによる不揮発性のメモリとしてもよい。
【００４６】
ＨＤＤ２０４はＣＰＵ２０１の制御命令に従って、ＨＤ２０５に対するデータの読み取
り／書き込みの制御をおこなう。ＨＤ２０５は、各種制御プログラムや各種データを、た
とえばＣＰＵ２０１に読み取り可能に記憶する。ＨＤ２０５は、ＨＤＤ２０４による情報
の書き込みを受け付けるとともに、書き込まれたデータを不揮発に記憶する。スキャナ２
０６は、用紙などに印刷されている画像を光学的に読み取り、印刷装置１００の内部に画
像データを取り込む。
【００４７】
Ｉ／Ｆ２０７は、通信ケーブル２０８を介してＬＡＮ（Ｌｏｃａｌ  Ａｒｅａ  Ｎｅｔ
ｗｏｒｋ）やＷＡＮ（Ｗｉｄｅ  Ａｒｅａ  Ｎｅｔｗｏｒｋ）などのネットワーク２２０
に接続され、ネットワーク２２０と印刷装置１００とのインタフェースとして機能し、印
刷装置１００に対するデータの入出力を制御する。
【００４８】
ＣＤ／ＤＶＤディスク１１０は、各種制御プログラムや各種データを、たとえばＣＰＵ
２０１に読み取り可能に記憶する。ＣＤ／ＤＶＤディスク１１０は、ディスクドライブ１
２０による情報の書き込みを受け付けるとともに、書き込まれたデータを不揮発に記憶す
る着脱自在な記録媒体である。ディスクドライブ１２０はＣＰＵ２０１の制御命令に従っ
て、ＣＤ／ＤＶＤディスク１１０に対するデータの読み取り／書き込みの制御をおこなう
。
【００４９】
ラベルプリンタ１３０は、画像や文書などの印刷データをＣＤ／ＤＶＤディスク１１０
の表面上に印刷する。ラベルプリンタ１３０には、たとえば、レーザプリンタやインクジ
ェットプリンタを採用することができる。操作ボタン１４０は、文字、数字、各種指示な
どの入力のためのキーを備え、データの入力をおこなう。また、タッチパネル式の入力パ
ッドやテンキーなどであってもよい。
【００５０】
ディスプレイ１５０は、たとえばＣＲＴ（Ｃａｔｈｏｄｅ  Ｒａｙ  Ｔｕｂｅ）、ＴＦ
Ｔ（Ｔｈｉｎ  Ｆｉｌｍ  Ｔｒａｎｓｉｓｔｏｒ）液晶ディスプレイ、有機ＥＬ（Ｅｌｅ
ｃｔｒｏｌｕｍｉｎｅｓｃｅｎｃｅ）ディスプレイ、プラズマディスプレイなどのディス
プレイ装置によって構成される。ディスプレイ１５０には、アイコン、カーソル、メニュ
ー、ウィンドウ、あるいは文字や画像などの各種情報が表示される。
【００５１】
（印刷装置１００の機能的構成）
図３は、本実施の形態１における印刷装置の機能的構成の一例を示すブロック図である
。なお、以降においては、既に説明した部分と重複する箇所には同一の符号を附して説明
を省略する。図３に示すように、本実施の形態１における印刷装置１００は、制御部３０
１と、取得部３０２と、記録部３０３と、印刷部３０４と、記憶部３１０とを備えて構成
されている。
【００５２】
制御部３０１は、ＣＤ／ＤＶＤディスク１１０に記録されている映像の再生の開始・停
止を制御する。また、制御部３０１は、記憶部３１０に記録されている映像の再生の開始
・停止を制御する。制御部３０１によって再生された映像は、ディスプレイ１５０の画面
上に表示される。具体的には、たとえばＲＯＭ２０２、ＲＡＭ２０３、あるいはＨＤ２０
５に格納されたプログラムをＣＰＵ２０１が実行することによってその機能を実現する。
【００５３】
取得部３０２は、制御部３０１によって再生された映像から画像を取得する。取得部３
０２は、具体的には、たとえばディスプレイ１５０の画面上に表示された映像に対して操
作ボタン１４０を用いてユーザがおこなった操作に基づいて、ＲＯＭ２０２、ＲＡＭ２０
３、あるいはＨＤ２０５に格納されたプログラムをＣＰＵ２０１が実行することによって
その機能を実現する。
【００５４】
記録部３０３は、ＣＤ／ＤＶＤディスク１１０に記録されている映像のうち、制御部３
０１によって映像の再生が停止された箇所に続く映像を記憶部３１０に記録する。記録部
３０３は、具体的には、たとえばＲＯＭ２０２、ＲＡＭ２０３、あるいはＨＤ２０５に格
納されたプログラムをＣＰＵ２０１が実行することによってその機能を実現する。
【００５５】
印刷部３０４は、取得部３０２によって取得された画像をＣＤ／ＤＶＤディスク１１０
の表面上に印刷する。印刷部３０４は、具体的には、たとえばＲＯＭ２０２、ＲＡＭ２０
３、あるいはＨＤ２０５に格納されたプログラムをＣＰＵ２０１が実行することによって
制御されたラベルプリンタ１３０によってその機能を実現する。
【００５６】
記憶部３１０は、記録部３０３によって記録された映像（制御部３０１によって映像の
再生が停止された箇所に続く映像）を記憶する。記憶部３１０は、具体的には、たとえば
ＲＡＭ２０３によってその機能を実現する。
【００５７】
（印刷装置１００の映像制御処理手順）
図４−１および図４−２は、本実施の形態１における印刷装置による映像制御処理手順
の一例を示すフローチャートである。以下、本実施の形態１における映像制御処理手順に
ついて図４−１および図４−２を用いて説明する。
【００５８】
図４−１に示すように、まず、制御部３０１によって、ＣＤ／ＤＶＤディスク１１０に
記録されている映像を再生する（ステップＳ４０１）。制御部３０１によって再生された
映像は、ディスプレイ１５０の画面上に表示される。
【００５９】
つぎに、制御部３０１によって、ステップＳ４０１で再生された映像が終端に達したか
否かを判断する（ステップＳ４０２）。ステップＳ４０２において、再生された映像が終
端に達していないと判断された場合（ステップＳ４０２：Ｎｏ）は、取得部３０２によっ
て、操作ボタン１４０に備えられた印刷ボタン１４０Ａが押下されたか否かを判断する（
ステップＳ４０３）。
【００６０】
一方、ステップＳ４０２において、再生された映像が終端に達したと判断された場合（
ステップＳ４０２：Ｙｅｓ）は、ステップＳ４０１で再生された映像の再生を停止して（
ステップＳ４２２）、一連の処理を終了する。ここで、ステップＳ４０７により記憶部３
１０に映像が記録されている場合、一連の処理を終了する前に、記憶部３１０に記録され
ている映像を破棄するようにしてもよい。
【００６１】
ステップＳ４０３において、操作ボタン１４０に備えられた印刷ボタン１４０Ａが押下
されたと判断した場合（ステップＳ４０３：Ｙｅｓ）は、取得部３０２によって、ステッ
プＳ４０１で再生された映像から画像を取得する（ステップＳ４０４）。ここで取得部３
０２は、ステップＳ４０１で再生された映像のうち、印刷ボタン１４０Ａが押下されたと
きにディスプレイ１５０の画面上に表示されている画像を取得する。なお、再生中の映像
から画像を取得する操作の一例については図５を用いて後述する。一方、ステップＳ４０
３において、操作ボタン１４０に備えられた印刷ボタン１４０Ａが押下されていないと判
断した場合（ステップＳ４０３：Ｎｏ）は、ステップＳ４０２へ戻る。
【００６２】
つぎに、取得部３０２によって、ステップＳ４０４で取得された画像でよいか否かを判
断する（ステップＳ４０５）。ここで、取得部３０２は、たとえばステップＳ４０４で取
得された画像でよいか否かを選択する画面をディスプレイ１５０の画面上に表示して、表
示された画像に対して操作ボタン１４０を用いてユーザがおこなった操作に基づいて、上
記判断をおこなう。
【００６３】
ステップＳ４０５において、ステップＳ４０４で取得された画像でよいと判断した場合
（ステップＳ４０５：Ｙｅｓ）は、印刷部３０４によって、ラベルプリンタ１３０が印刷
可能な状態か否かを判断する（ステップＳ４０６）。ここで、印刷部３０４は、たとえば
ラベルプリンタ１３０の電源のＯＮ／ＯＦＦ（ラベルプリンタ１３０の電源が別に設けら
れている場合のみ）や、ラベルプリンタ１３０がインクジェットプリンタの場合はラベル
プリンタ１３０に備えられたインクの残量などの情報に基づいて、上記判断をおこなう。
一方、ステップＳ４０５において、ステップＳ４０４で取得された画像でよくないと判断
した場合（ステップＳ４０５：Ｎｏ）は、ステップＳ４０２へ戻る。なお、取得された画
像がよいか否かを選択する画面の一例については図６を用いて後述する。
【００６４】
ステップＳ４０６において、ラベルプリンタ１３０が印刷可能な状態であると判断した
場合（ステップＳ４０６：Ｙｅｓ）は、記録部３０３によって、ＣＤ／ＤＶＤディスク１
１０に記録されている映像のうち、所定時間後（たとえば５分後）以降の映像を記憶部３
１０に記録する（ステップＳ４０７）。
【００６５】
ここで、記録部３０３は、所定時間後以降であり、ＣＤ／ＤＶＤディスク１１０への印
刷が完了するまでに必要と想定される時間（たとえば、ＣＤ／ＤＶＤディスク１１０がデ
ィスクドライブ１２０から取り出されラベルプリンタ１３０へセットされるまでの時間と
、ラベルプリンタ１３０によってＣＤ／ＤＶＤディスク１１０の表面上に画像を印刷する
時間と、ＣＤ／ＤＶＤディスク１１０がラベルプリンタ１３０から取り出されディスクド
ライブ１２０へセットされるまでの時間との合計時間）分の映像を記憶部３１０に記録す
る。また上記所定時間は、たとえば０秒や、上記想定時間分の映像を記憶部３１０に記録
するために必要と想定される時間などであってもよい。
【００６６】
一方、ステップＳ４０６において、ラベルプリンタ１３０が印刷可能な状態ではないと
判断した場合（ステップＳ４０６：Ｎｏ）は、ステップＳ４０２へ戻る。このとき、たと
えば印刷部３０４は、ユーザに対して注意をうながすため、ラベルプリンタ１３０が印刷
可能な状態ではない旨を示すメッセージをディスプレイ１５０の画面上に表示してもよい
。なお、ラベルプリンタ１３０が印刷可能な状態ではない旨を示すメッセージの一例につ
いては図７を用いて後述する。
【００６７】
そして、上記所定時間（たとえば５分）が経過した後に、制御部３０１によって、ＣＤ
／ＤＶＤディスク１１０に記録されている映像の再生を停止して（ステップＳ４０８）、
映像の再生が途切れないようにほぼ同時に、制御部３０１によって、ステップＳ４０７で
記憶部３１０に記録された映像を再生する（ステップＳ４０９）。記憶部３１０に記録に
記録され、制御部３０１によって再生されたた映像は、ディスプレイ１５０の画面上に表
示される。なお、記憶部３１０に記録され、制御部３０１によって再生された映像の一例
については図９を用いて後述する。
【００６８】
つぎに、印刷部３０４によって、ユーザに対してＣＤ／ＤＶＤディスク１１０をラベル
プリンタ１３０にセットするように指示する旨を示すメッセージをディスプレイ１５０の
画面上に表示する（ステップＳ４１０）。ここで、たとえばメッセージをディスプレイ１
５０の画面上に表示するかわりに、ディスクドライブ１２０およびラベルプリンタ１３０
のトレイを開いたり、ランプを点灯したりするようにしてもよい。
【００６９】
また、たとえばメッセージをディスプレイ１５０の画面上に表示すると同時に、ディス
クドライブ１２０およびラベルプリンタ１３０のトレイを開いたり、ランプを点灯したり
するようにしてもよい。なお、ＣＤ／ＤＶＤディスク１１０をラベルプリンタ１３０にセ
ットするように指示するメッセージの一例については図８を用いて後述する。
【００７０】
つぎに、図４−２に示すように、印刷部３０４によって、ラベルプリンタ１３０が印刷
可能な状態か否かを判断する（ステップＳ４１１）。ここで、印刷部３０４は、ステップ
Ｓ４０６での判断処理に用いられる情報とともに、たとえばラベルプリンタ１３０にＣＤ
／ＤＶＤディスク１１０がセットされているか否かなどの情報に基づいて、上記判断をお
こなう。
【００７１】
ステップＳ４１１において、ラベルプリンタ１３０が印刷可能な状態であると判断した
場合（ステップＳ４１１：Ｙｅｓ）は、印刷部３０４によって、ステップＳ４０４で取得
された画像をＣＤ／ＤＶＤディスク１１０の表面上に印刷して（ステップＳ４１２）、ス
テップＳ４１３へ進む。ここで、たとえばＣＤ／ＤＶＤディスク１１０にあらかじめ記録
されている画像を選択して、ＣＤ／ＤＶＤディスク１１０の表面上に印刷することができ
るようにしてもよい。なお、ＣＤ／ＤＶＤディスク１１０の表面上に印刷された画像の一
例については図１０を用いて後述する。
【００７２】
一方、ステップＳ４１１において、ラベルプリンタ１３０が印刷可能な状態ではないと
判断した場合（ステップＳ４１１：Ｎｏ）は、ステップＳ４１１においてラベルプリンタ
１３０が印刷可能な状態であると判断されるまで繰り返しステップＳ４１１の処理をおこ
なう。
【００７３】
つぎに、制御部３０１によって、ステップＳ４０９で再生された映像（記憶部３１０に
記録された映像）が終端に達したか否かを判断する（ステップＳ４１３）。ステップＳ４
１３において、ステップＳ４０９で再生された映像が終端に達していないと判断した場合
（ステップＳ４１３：Ｎｏ）は、印刷部３０４によって、印刷が完了したか否かを判断す
る（ステップＳ４１４）。
【００７４】
ステップＳ４１４において、印刷が完了したと判断した場合（ステップＳ４１４：Ｙｅ
ｓ）は、制御部３０１によって、ユーザに対してＣＤ／ＤＶＤディスク１１０をディスク
ドライブ１２０にセットするように指示する旨を示すメッセージをディスプレイ１５０の
画面上に表示して（ステップＳ４１５）、ステップＳ４１６へ進む。ここで、たとえばメ
ッセージをディスプレイ１５０の画面上に表示するかわりに、ディスクドライブ１２０お
よびラベルプリンタ１３０のトレイを開いたり、ランプを点灯したりするようにしてもよ
い。
【００７５】
また、たとえばメッセージをディスプレイ１５０の画面上に表示すると同時に、ディス
クドライブ１２０およびラベルプリンタ１３０のトレイを開いたり、ランプを点灯したり
するようにしてもよい。なお、ＣＤ／ＤＶＤディスク１１０をディスクドライブ１２０に
セットするように指示するメッセージの一例については図１１を用いて後述する。一方、
ステップＳ４１４において、印刷が完了していないと判断した場合（ステップＳ４１４：
Ｎｏ）は、ステップＳ４１３へ戻る。
【００７６】
そして、ＣＤ／ＤＶＤディスク１１０がディスクドライブ１２０にセットされた後に、
制御部３０１によって、ステップＳ４０９で再生された映像（記憶部３１０に記録された
映像）を停止して（ステップＳ４１６）、映像の再生が途切れないようにほぼ同時に、制
御部３０１によって、ＣＤ／ＤＶＤディスク１１０に記録されている映像のうち、ステッ
プＳ４１６で記憶部３１０に記録された映像の再生が停止された箇所に続く映像を再生し
て（ステップＳ４１７）、ステップＳ４０２へ戻る。
【００７７】
一方、ステップＳ４１３において、ステップＳ４０９で再生された映像が終端に達した
と判断した場合（ステップＳ４１３：Ｙｅｓ）は、制御部３０１によって、ステップＳ４
０９で再生された映像（記憶部３１０に記録された映像）を停止して（ステップＳ４１８
）、印刷部３０４によって、印刷が完了したか否かを判断する（ステップＳ４１９）。
【００７８】
ステップＳ４１９において、印刷が完了したと判断した場合（ステップＳ４１９：Ｙｅ
ｓ）は、制御部３０１によって、ユーザに対してＣＤ／ＤＶＤディスク１１０をディスク
ドライブ１２０にセットするように指示する旨を示すメッセージをディスプレイ１５０の
画面上に表示して（ステップＳ４２１）、ステップＳ４１７へ進む。ここで、たとえばメ
ッセージをディスプレイ１５０の画面上に表示するかわりに、ディスクドライブ１２０お
よびラベルプリンタ１３０のトレイを開いたり、ランプを点灯したりするようにしてもよ
い。また、たとえばメッセージをディスプレイ１５０の画面上に表示すると同時に、ディ
スクドライブ１２０およびラベルプリンタ１３０のトレイを開いたり、ランプを点灯した
りするようにしてもよい。
【００７９】
一方、ステップＳ４１９において、印刷が完了していないと判断した場合（ステップＳ
４１９：Ｎｏ）は、印刷部３０４によって、ユーザに対して印刷が完了するまで待機する
旨を示すメッセージをディスプレイ１５０の画面上に表示して（ステップＳ４２０）、ス
テップＳ４１９において印刷が完了したと判断されるまで繰り返しステップＳ４１９およ
びステップＳ４２０の処理をおこなう。なお、印刷が完了するまで待機する旨を示すメッ
セージの一例については図１２を用いて後述する。
【００８０】
（画像を取得する操作の一例）
図５は、再生中の映像から画像を取得する操作の一例を示す説明図である。図５におい
て、印刷装置１００に備えられたディスプレイ１５０の画面上には、ＣＤ／ＤＶＤディス
ク１１０に記録されておりディスクドライブ１２０によって再生されている映像が表示さ
れている。
【００８１】
図５において、たとえばディスプレイ１５０の画面上に表示されている映像にはタイト
ル「○×小学校運動会」と撮影日「２００６．２．１５」とが示されている。この状態か
らたとえば、ユーザがこの映像をＣＤ／ＤＶＤディスク１１０の表面上に印刷したいと判
断した場合は、ユーザによって印刷装置１００に備えられた印刷ボタン１４０Ａが押下さ
れることによって、ディスプレイ１５０の画面上に表示されている映像が画像としてキャ
プチャ（取得）される。
【００８２】
（取得された画像がよいか否かを選択する画面の一例）
図６は、取得された画像がよいか否かを選択する画面の一例を示す説明図である。図６
において印刷装置１００に備えられたディスプレイ１５０の画面上には、図５に示すよう
なユーザの操作によってキャプチャ（取得）された画像と、キャプチャされた画像がよい
か否かを選択するポップアップ画面６１０とが表示されている。
【００８３】
図６において、たとえばユーザによる方向ボタン１４０Ｂの操作によってキャプチャさ
れた画像がよいか否か（「はい」または「いいえ」）が選択される。また、選択ボタン１
４０Ｃが押下されることによって、キャプチャされた画像がよいか否かが決定される。た
とえばユーザによってキャプチャされた画像が好ましくないと判断された場合は、ユーザ
によって「いいえ」が選択される。
【００８４】
なお、図６に示すようにキャプチャされた画像およびポップアップ画面６１０だけをデ
ィスプレイ１５０の画面上に表示するのではなく、たとえばキャプチャされた画像および
ポップアップ画面６１０と、図５に示したような再生中の映像をディスプレイ１５０の画
面上に分割表示するようにしてもよい。これにより、たとえばユーザは、再生中の映像を
視聴しながら上記選択操作をおこなうことができる。
【００８５】
（ラベルプリンタ１３０が印刷可能な状態ではない旨を示すメッセージの一例）
図７は、ラベルプリンタ１３０が印刷可能な状態ではない旨を示すメッセージの一例を
示す説明図である。
【００８６】
図７において印刷装置１００に備えられたディスプレイ１５０の画面上には、ラベルプ
リンタ１３０が印刷可能な状態ではない旨を示すメッセージとして「プリンタの準備がで
きていません。プリンタが接続されているかプリンタの電源がＯＮになっているか確認し
てください。」という警告文（メッセージ）が表示されている。
【００８７】
このようなメッセージは、たとえばラベルプリンタ１３０の電源がＯＦＦになっている
場合や、ラベルプリンタ１３０がインクジェットプリンタであり、このラベルプリンタ１
３０に備えられたインクの残量が不足している場合などに表示される。
【００８８】
（ディスクをラベルプリンタにセットするように指示する旨を示すメッセージの一例）
図８は、ＣＤ／ＤＶＤディスク１１０をラベルプリンタ１３０にセットするように指示
するメッセージの一例を示す説明図である。
【００８９】
図８において印刷装置１００に備えられたディスプレイ１５０の画面上には、ＣＤ／Ｄ
ＶＤディスク１１０をラベルプリンタ１３０にセットするように指示する旨を示すメッセ
ージとして「ディスクを取り出してプリンタにセットしてください。」という指示文（メ
ッセージ）が表示されている。
【００９０】
（記憶部３１０に記録され、制御部３０１によって再生された映像の一例）
図９は、記憶部３１０に記録され、制御部３０１によって再生された映像の一例を示す
説明図である。
【００９１】
図９において印刷装置１００に備えられたディスプレイ１５０の画面上には、記憶部３
１０に記録され、制御部３０１によって再生された映像と、映像の再生の残り時間「３：
２５」とが表示されている。
【００９２】
このように記憶部３１０に記録され、制御部３０１によって再生された映像の再生の残
り時間がディスプレイ１５０の画面上に表示されることによって、たとえばユーザはこの
残り時間の間にラベルプリンタ１３０による印刷を完了させることによって、映像の視聴
を中断することなく、引き続き映像を視聴することができる旨を把握することができる。
【００９３】
（ディスクの表面上に印刷された画像の一例）
図１０は、ＣＤ／ＤＶＤディスク１１０の表面上に印刷された画像の一例を示す説明図
であり、ＣＤ／ＤＶＤディスク１１０の表面上には、図５に示すようなユーザの操作によ
ってキャプチャされた画像が、ラベルプリンタ１３０によって印刷されている。
【００９４】
（ディスクドライブにディスクをセットするように指示する旨を示すメッセージの一例）
図１１は、ＣＤ／ＤＶＤディスク１１０をディスクドライブ１２０にセットするように
指示するメッセージの一例を示す説明図である。
【００９５】
図１１において印刷装置１００に備えられたディスプレイ１５０の画面上には、ＣＤ／
ＤＶＤディスク１１０をディスクドライブ１２０にセットするように指示する旨を示すメ
ッセージとして「ディスクをディスクドライブにセットしてください。」という指示文（
メッセージ）が表示されている。このようなメッセージは、たとえばラベルプリンタ１３
０によるＣＤ／ＤＶＤディスク１１０の表面上への画像の印刷が完了したときに表示され
る。
【００９６】
（印刷が完了するまで待機する旨を示すメッセージの一例）
図１２は、ディスプレイ１５０の画面上に表示された印刷が完了するまで待機する旨を
示すメッセージの一例を示す説明図である。
【００９７】
図１２において印刷装置１００に備えられたディスプレイ１５０の画面上には、記憶部
３１０に記録された映像の再生が終了した旨を示す残り時間「０：００」と、ラベルプリ
ンタ１３０による印刷が完了していない旨を示すメッセージ「印刷が終了するまで待機し
ます。」という告知文（メッセージ）とが表示されている。
【００９８】
このようなメッセージは、たとえば記憶部３１０に記録された映像の再生時間がラベル
プリンタ１３０による印刷時間よりも短いとき、すなわち、記憶部３１０に記録された映
像の再生が終了したにもかかわらず、ラベルプリンタ１３０による印刷が完了していない
ときなどに表示される。
【００９９】
このように、本実施の形態１における印刷装置１００によれば、たとえばユーザは、Ｃ
Ｄ／ＤＶＤディスク１１０に記録されている映像を視聴しているときに、印刷ボタン１４
０Ａを押下して、ディスプレイ１５０の画面上に表示されたメッセージに従ってＣＤ／Ｄ
ＶＤディスク１１０をラベルプリンタ１３０にセットするだけといった簡単な操作によっ
て、手間のかかる別の作業をおこなったり映像の再生が中断されたりすることなく、容易
に、ＣＤ／ＤＶＤディスク１１０に記録されている映像に含まれた画像の中から所望する
画像をＣＤ／ＤＶＤディスク１１０の表面上に印刷することができる。これにより、ラベ
ル印刷時における作業効率性の向上を図ることができるだけでなく、記録媒体の表面上に
印刷された画像により、ユーザに対し、どの記録媒体にどのような映像が記録されている
かを容易に把握させることが可能となる。
【０１００】
（実施の形態２）
（映像再生装置の構成の概要）
図１３は、本実施の形態２における映像再生装置の構成の概要を示す説明図である。図
１３において、映像再生装置１３００は、ＣＤ／ＤＶＤディスク１１０に記録されている
映像を再生する機能を備えているが、ＣＤ／ＤＶＤディスク１１０の表面上にラベルを印
刷する機能を備えていないＤＶＤレコーダである。
【０１０１】
この映像再生装置１３００は、ディスクドライブ１２０と、たとえばリモコンなどの操
作ボタン１４０とを備えて構成されており、通信ケーブル２０８によって、たとえばテレ
ビモニタなどのディスプレイ１５０と、ラベルプリンタ１３０とに接続されている。ここ
で、映像再生装置１３００とラベルプリンタ１３０との接続は、ＵＳＢダイレクトまたは
ピクトブリッジに基づいたものであってもよい。なお、上記各ハードウェアの機能につい
ては、上述した実施の形態１における各ハードウェアの機能と同様であるため、ここでは
説明を省略する。
【０１０２】
上述した構成による映像再生装置１３００は、ＣＤ／ＤＶＤディスク１１０に記録され
ている映像が再生されているときに、たとえば操作ボタン１４０の操作によって、操作ボ
タン１４０が操作されたときにディスプレイ１５０の画面上に表示されていた画像をメモ
リなどの記録媒体にキャプチャ（取り込み）することができる。
【０１０３】
そして、映像の再生が停止されるとともに、ＣＤ／ＤＶＤディスク１１０に記録されて
いる映像のうち、所定箇所に続く映像がメモリなどの記録媒体に記録される。そして、映
像の再生が停止されるとともに、メモリなどの記録媒体に記録された映像の再生を停止さ
れた箇所から開始し、ユーザがＣＤ／ＤＶＤディスク１１０をディスクドライブ１２０か
ら取り出すことができるようになる。
【０１０４】
さらに、ＣＤ／ＤＶＤディスク１１０がラベルプリンタ１３０にセットされることによ
って、キャプチャされた画像をＣＤ／ＤＶＤディスク１１０の表面上に印刷することがで
きる。また、印刷が終了した後に、ＣＤ／ＤＶＤディスク１１０を再びディスクドライブ
１２０にセットすることによって、メモリなどの記録媒体に記録された映像の再生を停止
するとともに、ＣＤ／ＤＶＤディスク１１０に記録された映像のうち、停止された箇所に
続く映像の再生を開始することができる。
【０１０５】
このように、本実施の形態２における映像再生装置１３００は、たとえばユーザは、Ｃ
Ｄ／ＤＶＤディスク１１０に記録されている映像を視聴しているときに、操作ボタン１４
０を操作して、ＣＤ／ＤＶＤディスク１１０をラベルプリンタ１３０にセットするだけと
いった簡単な操作によって、映像の視聴を中断することなく、ＣＤ／ＤＶＤディスク１１
０に記録されている映像に含まれた画像の中から所望する画像をＣＤ／ＤＶＤディスク１
１０の表面上に印刷することができる。これにより、ラベル印刷時における作業効率性の
向上を図ることができるだけでなく、記録媒体の表面上に印刷された画像により、ユーザ
に対し、どの記録媒体にどのような映像が記録されているかを容易に把握させることが可
能となる。
【０１０６】
（映像再生装置１３００のハードウェア構成）
図１４は、本実施の形態２における映像再生装置のハードウェア構成の一例を示すブロ
ック図である。図１４において、本実施の形態２における映像再生装置１３００は、ＣＰ
Ｕ（Ｃｅｎｔｒａｌ  Ｐｒｏｃｅｓｓｉｎｇ  Ｕｎｉｔ）２０１と、ＲＯＭ（Ｒｅａｄ  
Ｏｎｌｙ  Ｍｅｍｏｒｙ）２０２と、ＲＡＭ（Ｒａｎｄｏｍ  Ａｃｃｅｓｓ  Ｍｅｍｏｒ
ｙ）２０３と、ＨＤＤ（Ｈａｒｄ  Ｄｉｓｃ  Ｄｒｉｖｅ）２０４と、ＨＤ（Ｈａｒｄ  
Ｄｉｓｃ）２０５と、インタフェース（Ｉ／Ｆ）２０７と、ＣＤ／ＤＶＤディスク１１０
と、ディスクドライブ１２０と、操作ボタン１４０とを備えて構成されており、各構成部
はバス２１０によってそれぞれ接続されている。
【０１０７】
図１４において、映像再生装置１３００は、スキャナ２０６、ラベルプリンタ１３０、
ディスプレイ１５０を備えておらず、ラベルプリンタ１３０およびディスプレイ１５０と
に通信ケーブル２０８によって接続されている点が、実施の形態１（図２）に上述した印
刷装置１００のハードウェア構成と異なる。
【０１０８】
（映像再生装置１３００の機能的構成）
図１５は、本実施の形態２における映像再生装置の機能的構成の一例を示すブロック図
である。図１５に示すように、本実施の形態２における映像再生装置１３００は、制御部
３０１と、取得部３０２と、記録部３０３と、出力部１５０１と、記憶部３１０とを備え
て構成されており、印刷部３０４を備えておらず、出力部１５０１を備えている点が、実
施の形態１（図３）に上述した印刷装置１００の機能的構成と異なる。
【０１０９】
出力部１５０１は、取得部３０２によって取得された画像を、通信ケーブル２０８によ
って接続されているラベルプリンタ１３０に対して出力して、上記画像をＣＤ／ＤＶＤデ
ィスク１１０の表面上に印刷する。出力部１５０１は、具体的には、たとえばＲＯＭ２０
２、ＲＡＭ２０３、あるいはＨＤ２０５に格納されたプログラムをＣＰＵ２０１が実行す
ることによって制御されたＩ／Ｆ２０７によってその機能を実現する。
【０１１０】
（映像再生装置１３００の映像制御処理手順）
本実施の形態２における映像再生装置による映像制御処理手順については、実施の形態
１（図４−１および図４−２）に上述した印刷装置１００による映像制御処理手順と同様
のため説明を省略する。
【０１１１】
以上説明したように、本実施の形態２における映像再生装置１３００によれば、たとえ
ばユーザは、ＣＤ／ＤＶＤディスク１１０に記録されている映像を視聴しているときに、
リモコンなどの操作ボタン１４０を操作して、ディスプレイ１５０の画面上に表示された
メッセージに従ってＣＤ／ＤＶＤディスク１１０をラベルプリンタ１３０にセットするだ
けといった簡単な操作によって、手間のかかる別の作業をおこなったり映像の再生が中断
されたりすることなく、容易に、ＣＤ／ＤＶＤディスク１１０に記録されている映像に含
まれた画像の中から所望する画像をＣＤ／ＤＶＤディスク１１０の表面上に印刷すること
ができる。これにより、ラベル印刷時における作業効率性の向上を図ることができるだけ
でなく、記録媒体の表面上に印刷された画像により、ユーザに対し、どの記録媒体にどの
ような映像が記録されているかを容易に把握させることが可能となる。
【０１１２】
なお、本実施の形態２における映像再生装置１３００は、たとえば図１３に示したよう
なＤＶＤレコーダに限らず、たとえば図１６に示す映像再生装置１６００のように、ディ
スクドライブ１２０、ディスプレイ１５０、キーボード１６０１およびマウス１６０２な
どを備え、通信ケーブル２０８などによってラベルプリンタ１３０と接続されたパーソナ
ル・コンピュータなどであっても良い。
【０１１３】
なお、実施の形態１および実施の形態２で説明した映像制御方法は、あらかじめ用意さ
れたプログラムをパーソナル・コンピュータやワークステーションなどのコンピュータで
実行することにより実現することができる。このプログラムは、ハードディスク、フレキ
シブルディスク、ＣＤ−ＲＯＭ、ＭＯ、ＤＶＤなどのコンピュータで読み取り可能な記録
媒体に記録され、コンピュータによって記録媒体から読み出されることによって実行され
る。またこのプログラムは、インターネットなどのネットワークを介して配布することが
可能な伝送媒体であってもよい。
【図面の簡単な説明】
【０１１４】
【図１】印刷装置の構成の概要を示す説明図。
【図２】印刷装置のハードウェア構成の一例を示すブロック図。
【図３】印刷装置の機能的構成の一例を示すブロック図。
【図４−１】映像制御処理手順の一例を示すフローチャート。
【図４−２】映像制御処理手順の一例を示すフローチャート。
【図５】再生中の映像から画像を取得する操作の一例を示す説明図。
【図６】取得された画像がよいか否かを選択する画面の一例を示す説明図。
【図７】印刷可能な状態ではない旨を示すメッセージの一例を示す説明図。
【図８】ディスクをセットするように指示するメッセージの一例を示す説明図。
【図９】記憶部に記録され、制御部によって再生された映像の一例を示す説明図。
【図１０】ディスクの表面上に印刷された画像の一例を示す説明図。
【図１１】ディスクをセットするように指示するメッセージの一例を示す説明図。
【図１２】印刷が完了するまで待機する旨を示すメッセージの一例を示す説明図。
【図１３】映像再生装置の構成の概要を示す説明図。
【図１４】映像再生装置のハードウェア構成の一例を示すブロック図。
【図１５】映像再生装置の機能的構成の一例を示すブロック図。
【図１６】映像再生装置の別の構成の概要を示す説明図。
【符号の説明】
【０１１５】
１００  印刷装置、１１０  ＣＤ／ＤＶＤディスク、１２０  ディスクドライブ、１３
０  ラベルプリンタ、１４０  操作ボタン、１５０  ディスプレイ、３０１  制御部、３
０２  取得部、３０３  記録部、３０４  印刷部、３１０  記憶部
【図１】
2007259191.tif 000003
【図２】
2007259191.tif 000004
【図３】
2007259191.tif 000005
【図４−１】
2007259191.tif 000006
【図４−２】
2007259191.tif 000007
【図５】
2007259191.tif 000008
【図６】
2007259191.tif 000009
【図７】
2007259191.tif 000010
【図８】
2007259191.tif 000011
【図９】
2007259191.tif 000012
【図１０】
2007259191.tif 000013
【図１１】
2007259191.tif 000014
【図１２】
2007259191.tif 000015
【図１３】
2007259191.tif 000016
【図１４】
2007259191.tif 000017
【図１５】
2007259191.tif 000018
【図１６】
2007259191.tif 000019